(57)【要約】【課題】大容量の水を加熱して貯湯する貯湯式温水器で、浴槽や蛇口に給湯するものに関するもので、圧力が低く出湯量が少ないことにより使用感が悪いという課題に対し、端末からの湯水の圧力を高くして出湯する貯湯式温水器を提供することを目的としている。【解決手段】本発明の湯水混合弁１１は貯湯タンク２からの温水を湯水混合弁１１へ供給する温水経路途中に、減圧弁３へ給水する給水配管１途中から減圧弁３を介さずに減圧する前の水道水を供給するバイパス配管１２を接続したものであり、これによって貯湯タンク２に蓄えられた温水に減圧する前の水道水を混合し湯水混合弁１１で得られる所定温度の温水の減圧を改善することができる。【選択図】図１
2006266598.tif 000002
【特許請求の範囲】
【請求項１】
加熱手段により加熱昇温された温水を貯める貯湯タンクと、前記貯湯タンクに水道水を供給する給水配管と、前記給水配管の途中に水道水の圧力を任意に設定可能な減圧弁と、前記減圧弁で減圧された水道水と前記貯湯タンクの温水とを混合して所定温度の温水を得る湯水混合弁と、前記貯湯タンクからの温水を湯水混合弁へ供給する温水経路途中に前記減圧弁により減圧する前の水道水を供給するバイパス配管を接続した貯湯式温水器。
【請求項２】
貯湯タンクからの温水を湯水混合弁へ供給する温水経路途中と、減圧弁を経由して前記湯水混合弁へ水を供給する水道水経路途中とに、前記減圧弁へ給水する給水配管途中から減圧弁を介さずに減圧する前の水道水を供給する連結バイパス配管を接続した貯湯式温水器。
【請求項３】
バイパス配管あるいは連結バイパス配管経路途中に冷水閉止電磁弁を配設した請求項１〜２のいずれか１項記載の貯湯式温水器。
【請求項４】
貯湯タンクからの温水を湯水混合弁へ供給する温水経路途中に温水閉止電磁弁を配設した請求項１〜３のいずれか１項記載の貯湯式温水器。
【発明の詳細な説明】
【技術分野】
【０００１】
本発明は、水を加熱して貯湯する貯湯式温水器に関するものである。
【背景技術】
【０００２】
従来、この種の貯湯式温水器は貯湯タンク上部に貯えられる湯水と減圧弁により減圧された水とを混合して出湯していた（例えば、特許文献１参照）。
【０００３】
図４は、特許文献１に記載された従来の貯湯式温水器を示すものである。図４に示すように、貯湯タンク２１には水道水を供給する給水回路２２と貯湯タンク２１内の湯を給湯する給湯回路２３が接続されている。そして、給水回路２２により貯湯タンク２１内に供給される水道水は第１減圧弁２４または第２減圧弁２５により減圧されたものである。また、端末に出湯される湯水は、給湯回路２３により貯湯タンク２１の上部に貯えられる高温の湯水と第１減圧弁２４で減圧された水道水とを混合したものである。
【特許文献１】特開平２−２１７７５２号公報
【発明の開示】
【発明が解決しようとする課題】
【０００４】
しかしながら、前記従来の構成では、端末に出湯される湯水は、給湯回路２３により貯湯タンク２１の上部に貯えられる高温の湯水と第１減圧弁２４で減圧された水道水とを混合してあり、減圧された状態で出湯されるため、圧力が低く出湯量が少ないことにより使用感が悪いという課題があった。
【０００５】
特に、シャワーなどで使用される場合は、出湯圧が低く出湯量が少ないと、極めて使用感が悪く感じられるため、使用者は、蛇口（端末）側で手動により調節を行う方法、例えば設定温度を高くして貯湯式温水器より端末に出湯する温度を例えば６０℃とし、これに減圧前の水道水を手動で調整して加え、使用者の感覚で出湯を行って、出湯圧を高くし出湯量を増量して使用感を向上させる使い方をされる場合もあった。この場合、調節を手動でして使用者の感覚で行うため、手間がかかる上に、毎回設定が変化し端末より出湯される温度が高かったり低くなってしまう場合があり、使用者の感覚通りの出湯感が得られることが難しいという心配もあった。
【０００６】
本発明は、前記従来の課題を解決するもので、貯湯式温水器の設定操作により端末からの湯水の圧力を高くして出湯する貯湯式温水器を提供することを目的としている。
【課題を解決するための手段】
【０００７】
前記従来の課題を解決するために、本発明の湯水混合弁は貯湯タンクからの温水を湯水混合弁へ供給する温水経路途中に、減圧弁へ給水する給水配管途中から減圧弁を介さずに減圧する前の水道水を供給するバイパス配管を接続したものであり、これによって貯湯タンクに蓄えられた温水に減圧する前の水道水を混合し湯水混合弁で得られる所定温度の温水の減圧を改善することができる。
【発明の効果】
【０００８】
本発明の貯湯式温水器は、湯水混合弁は貯湯タンクからの温水を湯水混合弁へ供給する温水経路途中に、減圧弁へ給水する給水配管途中から減圧弁を介さずに減圧する前の水道水を供給するバイパス配管を接続して、湯水混合弁で貯湯タンクに蓄えられた温水と減圧する前の水道水を混合することにより、湯水混合弁で得られる温水は減圧する前の水道圧が加えられるようになり、端末からの出湯圧を高くし出湯量を増量して使用感を向上させることができるようになる。
【発明を実施するための最良の形態】
【０００９】
本発明の貯湯式温水器は、加熱手段により加熱昇温された温水を貯める貯湯タンクと、前記貯湯タンクに水道水を供給する給水配管と、前記給水配管の途中に水道水の圧力を任意に設定可能な減圧弁と、前記減圧弁で減圧された水道水と前記貯湯タンクの温水とを混合して所定温度の温水を得る湯水混合弁と、前記貯湯タンクからの温水を湯水混合弁へ供給する温水経路途中に前記減圧弁により減圧する前の水道水を供給するバイパス配管を接続した構成としてある。
【００１０】
そして、湯水混合弁は貯湯タンクからの温水を湯水混合弁へ供給する温水経路途中に、減圧する前の水道水を供給するバイパス配管を接続してあるので、湯水混合弁で得られる温水は減圧する前の水道圧が加えられるようになり、端末からの出湯圧を高くし出湯量を増量して使用感を向上させることができるようになる。
【００１１】
例えば、湯水混合弁へ供給する貯湯タンクからの温水の温度を９０℃、圧力を１．５kg/cm2、湯水混合弁へ供給する減圧弁を介さずに減圧する前の水道水の温度を２０℃、圧力を４〜５kg/cm2として、湯水混合弁に減圧弁を介した給水配管からの水道水と貯湯タンクからの温水のみを混合して出湯するようにすると、湯水混合弁から出湯する圧力は、減圧された１．５kg/cm2以下となり、減圧する前の水道水の３分の１の圧力となり、出湯圧が低く出湯量が少なくなってしまう。しかしながら、湯水混合弁は温水経路途中に、バイパス配管で減圧する前の水道水を供給するようにしてあるので、湯水混合弁から出湯する温度を４０℃とすると、まず、予め貯湯タンクからの温水の温度を９０℃圧力を１．５kg/cm2の温水に、バイパス配管で減圧する前の温度２０℃、圧力４〜５kg/cm2の水道水を約１／２から１倍の量を混合し、温度約６０℃、圧力約２．８kg/cm2とした温水を湯水混合弁へ供給する。そして、湯水混合弁でこの温水と、減圧された１．５kg/cm2の減圧弁を介した給水配管からの水道水を混合することで、圧力が約２．２kg/cm2で４０℃の温水が得られるようになり、圧力が約４０％改善された温水が得られるようになり、しかも湯水混合弁で混合する温水と水道水はほぼ等量であり、湯水混合弁で安定した所定温度の温水が得られやすくなる。
【００１２】
第２の発明は、特に第１の発明において、貯湯タンクからの温水を湯水混合弁へ供給する温水経路途中と、減圧弁を経由して湯水混合弁へ水を供給する水道水経路途中とに、減圧弁へ給水する給水配管途中から減圧弁を介さずに減圧する前の水道水を供給する連結バイパス配管を接続した構成としてある。
【００１３】
そして、貯湯タンクからの温水を湯水混合弁へ供給する温水経路途中と、減圧弁を経由して湯水混合弁へ水を供給する水道水経路途中に、減圧する前の水道水を供給する連結バイパス配管を接続してあるので、湯水混合弁で得られる温水と水道水に減圧する前の水道圧が加えられるようになり、第１の発明よりさらに端末からの出湯圧を高くし出湯量を増量して使用感を向上させることができるようになる。
【００１４】
例えば、まず、予め貯湯タンクからの温水の温度を９０℃圧力を１．５kg/cm2の温水に、バイパス配管で減圧する前の温度２０℃、圧力４〜５kg/cm2の水道水を約１／２から１倍の量を混合し、温度約６０℃、圧力約２．８kg/cm2とした温水を湯水混合弁へ供給する。また、減圧された１．５kg/cm2の減圧弁を介した給水配管からの水道水にバイパス配管で減圧する前の温度２０℃、圧力４〜５kg/cm2の水道水を約１／２から１倍の量を混合し、圧力約２．８kg/cm2とした昇圧した水道水を湯水混合弁へ供給する。そして、湯水混合弁でこの温水と水道水を混合することで、圧力が約２．８kg/cm2で４０℃の温水が得られるようになり、圧力が約９０％改善された温水が得られるようになり、しかも湯水混合弁で混合する温水と水道水はほぼ等量で圧力も同圧であるので、湯水混合弁で安定した所定温度の温水が得られやすくなる。
【００１５】
第３の発明は、特に第１または第２の発明において、バイパス配管あるいは連結バイパス配管経路途中に冷水閉止電磁弁を配設した構成としてある。
【００１６】
そして、湯水混合弁に供給される温水と水道水は圧力が大きく異なるため、圧力の高い減圧する前の水道水が圧力の低い温水即ち貯湯タンク側へ流れ込んでしまう心配があるが、バイパス配管あるいは連結バイパス配管経路途中に冷水閉止電磁弁を配設してあるので、湯水混合弁から出湯しないときは冷水閉止電磁弁を閉止することで、圧力の高い水道水側の流れを停止することができるようになり、貯湯タンク側へ流れ込んでしまう心配がなくなる。
【００１７】
第４の発明は、特に第１〜第３の発明において、貯湯タンクからの温水を湯水混合弁へ供給する温水経路途中に温水閉止電磁弁を配設した構成としてある。
【００１８】
そして、貯湯タンクに蓄えられた温水を湯水混合弁へ接続する温水経路途中に温水閉止電磁弁を配設してあるので、湯水混合弁から出湯しないときは温水閉止電磁弁を閉止することで、圧力の低い温水側への流れ込みを防止することができるようになり、貯湯タンク側へ流れ込んでしまう心配がなくなる。
【００１９】
さらに、何らかの理由で、微小流量が流れて、冷水閉止電磁弁が閉じた状態で放置されると、貯湯タンクに蓄えられた高温の温水が少しずつ流れ、端末の配管途中まで溜まり、つぎに使用した際に、その溜まった配管途中の高温の温水が流れ、火傷等の危険性を生じる心配あるが、温水閉止電磁弁を配設してあり、冷水閉止電磁弁と温水閉止電磁弁とを同時に作動させるようにすることでその心配も解消される。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における貯湯式温水器の概略構成を示す図、図２は制御ブロック図である。
【００２２】
図１において、１は給水配管、２は給水配管１を底部に接続した貯湯タンクで、貯湯タンク２内に供給される水道水は、貯湯タンク２の耐圧等の貯湯式温水器の構造的規制のため、減圧弁３により減圧して貯湯タンク２へ給水されるようになっている。
【００２３】
また、貯湯タンク２内の水は、タンクポンプ４で貯湯タンク２の下部より汲み上げられ、cＯ２冷媒等を用いたヒートポンプユニット５の配管回路の一部の加熱通路６と貯湯タンク２内の水が通るタンク伝熱通路７との組み合わせ体からなる水熱交換器８で加熱され、貯湯タンク２の上部へ循環されるようになっている。
【００２４】
９は貯湯タンク２の上部に接続した出湯配管で、所定の場所、例えば台所や風呂の給湯口１０等へ湯水混合弁１１を介してつながっており、湯水混合弁１１は、貯湯タンクからの温水を湯水混合弁１１へ供給する温水経路途中に配設したバイパス配管１２で減圧する前の水道水を混合して、貯湯タンクに蓄えられた温水と減圧する前の水道水を混合したものを給水配管１を経由して供給される減圧弁で減圧された水道水と混合して所定温度の温水として、給湯口１０より出湯するようになっている。
【００２５】
そして、バイパス配管１２には冷水閉止電磁弁１３が設けてあり、不使用時に貯湯タンク２からの温水を湯水混合弁１１へ供給する温水経路途中に減圧する前の水道水の圧力が加わらないようにしてある。さらに、出湯配管９上であって、バイパス配管１２と出湯配管９との接続部より上流側には温水閉止電磁弁１４が設けてある。そして、当該出湯配管９から出湯するとそれに伴い給水配管１から貯湯タンク２内に水が給水されるようになっている。
【００２６】
１５は制御部で、操作部で入力された条件で、タンクポンプ４や冷水閉止電磁弁１３や温水閉止電磁弁１４そしてヒートポンプユニット５等を予め決められたシーケンスでコントロールするようになっている。
【００２７】
上記した構成において、通常は、午後１１時〜午前５時までの安価な深夜電力を使ってヒートポンプユニット５で大容量の水を加熱して貯湯タンク２に貯湯し、温水として台所や風呂の給湯口１０等の給湯に利用するようになっていて、このとき、貯湯タンク２の下部から水をタンクポンプ４で汲み上げヒートポンプユニット５の配管回路の一部の加熱通路６と貯湯タンク２内の水が通るタンク伝熱通路７との組み合わせ体からなる水熱交換器８で加熱で加熱して、貯湯タンク２内では比重差から湯が上部、水が下部に分離した状態で溜まるように積層沸き上げを行うようになっている。
【００２８】
この貯湯タンク２に蓄えられた高温水は、貯湯タンク２の上部に接続した出湯配管９に接続された所定の場所、例えば台所や風呂の給湯口１０等から高温水として給湯に使用され、またその使用された分だけ給水配管１から貯湯タンク２内に水が給水されるようになっている。
【００２９】
そして、湯水混合弁１１は貯湯タンクからの温水を湯水混合弁１１へ供給する出湯配管９途中に、減圧する前の水道水を供給するバイパス配管１２を接続してあるので、湯水混合弁１１で得られる温水は減圧する前の水道圧が加えられるようになり、端末からの出湯圧を高くし出湯量を増量して使用感を向上させることができるようになる。
【００３０】
例えば、湯水混合弁１１へ供給する貯湯タンク２からの温水の温度を９０℃、圧力を１．５kg/cm2、湯水混合弁１１へ供給する減圧弁３を介さずに減圧する前の水道水の温度を２０℃、圧力を４〜５kg/cm2として、湯水混合弁１１に減圧弁３を介した給水配管１からの水道水と貯湯タンク２からの温水のみを混合して出湯するようにすると、湯水混合弁１１から出湯する圧力は、減圧された１．５kg/cm2以下となり、減圧する前の水道水の３分の１の圧力となり、出湯圧が低く出湯量が少なくなってしまう。しかしながら、湯水混合弁１１は温水経路途中に、バイパス配管１２で減圧する前の水道水を供給するようにしてあるので、湯水混合弁１１から出湯する温度を４０℃とすると、まず、予め貯湯タンク２からの温水の温度を９０℃圧力を１．５kg/cm2の温水に、バイパス配管１２で減圧する前の温度２０℃、圧力４〜５kg/cm2の水道水を約１／２から１倍の量を混合し、温度約６０℃、圧力約２．８kg/cm2とした温水を湯水混合弁１１へ供給する。そして、湯水混合弁１１でこの温水と、減圧された１．５kg/cm2の減圧弁３を介した給水配管１からの水道水を混合することで、圧力が約２．２kg/cm2で４０℃の温水が得られるようになり、圧力が約４０％改善された温水が得られるようになり、しかも湯水混合弁１１で混合する温水と水道水はほぼ等量であり、湯水混合弁１１で安定した所定温度の温水が得られやすくなる。
【００３１】
また、湯水混合弁１１に供給される温水と水道水は圧力が大きく異なるため、圧力の高い減圧する前の水道水が圧力の低い温水即ち貯湯タンク２側へ流れ込んでしまう心配があるが、バイパス配管１２経路途中に冷水閉止電磁弁１３を配設してあるので、湯水混合弁１１から出湯しないときは冷水閉止電磁弁１３を閉止することで、圧力の高い水道水側の流れを停止することができるようになり、貯湯タンク２側へ流れ込んでしまう心配がなくなる。
【００３２】
そしてまた、貯湯タンクに蓄えられた温水を湯水混合弁へ接続する配管途中に温水閉止電磁弁を配設してあるので、湯水混合弁から出湯しないときは温水閉止電磁弁を閉止することで、圧力の低い温水側への流れ込みを防止することができるようになり、貯湯タンク側へ流れ込んでしまう心配がなくなる。
【００３３】
さらに、貯湯タンク２に蓄えられた温水を湯水混合弁１１へ接続する配管途中に冷水閉止電磁弁１４を配設してあるので、湯水混合弁１１から出湯しないときは冷水閉止電磁弁１４を閉止することで、圧力の低い温水側への流れ込みを防止することができるようになり、貯湯タンク２側へ流れ込んでしまう心配がなくなる。
【００３４】
そしてまた、何らかの理由で、微小流量が流れて、冷水閉止電磁弁１３が閉じた状態で放置されると、貯湯タンク２に蓄えられた高温の温水が少しずつ流れ、端末の配管途中まで溜まり、つぎに使用した際に、その溜まった配管途中の高温の温水が流れ、火傷等の危険性を生じる心配あるが、冷水閉止電磁弁１４を配設してあり、冷水閉止電磁弁１３と冷水閉止電磁弁１４とを同時に作動させるようにすることでその心配も解消される。
【００３５】
（実施の形態２）
図３は、本発明の第２の実施の形態における貯湯式温水器の概略構成を示す図である。なお、図１と同様の構成については図１と同様の番号を付与し、図１と異なる構成についてのみ説明を行う。
【００３６】
貯湯タンクからの温水を湯水混合弁１１へ供給する温水経路途中と、減圧弁３を経由して湯水混合弁１１へ水を供給する水道水経路途中に、減圧弁３へ給水する給水配管１途中から減圧弁３を介さずに減圧する前の水道水を供給する連結バイパス配管１６を接続した構成としてある。
【００３７】
そして、貯湯タンク２からの温水を湯水混合弁１１へ供給する温水経路途中と、減圧弁３を経由して湯水混合弁１１へ水を供給する水道水経路途中に、減圧する前の水道水を供給する連結バイパス配管１６を接続してあるので、湯水混合弁１１で得られる温水と水道水に減圧する前の水道圧が加えられるようになり、実施の形態１よりさらに端末からの出湯圧を高くし出湯量を増量して使用感を向上させることができるようになる。
【００３８】
例えば、まず、予め貯湯タンク２からの温水の温度を９０℃圧力を１．５kg/cm2の温水に、連結バイパス配管１６で減圧する前の温度２０℃、圧力４〜５kg/cm2の水道水を約１／２から１倍の量を混合し、温度約６０℃、圧力約２．８kg/cm2とした温水を湯水混合弁１１へ供給する。また、減圧された１．５kg/cm2の減圧弁３を介した給水配管１からの水道水に連結バイパス配管１６で減圧する前の温度２０℃、圧力４〜５ｋｇ／cm2の水道水を約１／２から１倍の量を混合し、圧力約２．８ｋｇ／cm2とした昇圧した水道水を湯水混合弁１１へ供給する。そして、湯水混合弁１１でこの温水と水道水を混合することで、圧力が約２．８ｋｇ／cm2で４０℃の温水が得られるようになり、圧力が約９０％改善された温水が得られるようになり、しかも湯水混合弁１１で混合する温水と水道水はほぼ等量で圧力も同圧であるので、湯水混合弁１１で安定した所定温度の温水が得られやすくなる。
【００３９】
尚、連結バイパス配管１６は、湯水混合弁１１へ給水配管１途中から減圧弁３を介さずに減圧する前の水道水を供給するように接続し、湯水混合弁１１内で貯湯タンク２からの温水を湯水混合弁１１へ供給する温水経路側と減圧弁３を経由して湯水混合弁１７へ水を供給する水道水経路側のそれぞれに連結バイパス配管１７からの減圧する前の水道水を供給するように構成してもよい。
【００４０】
そしてこれによれば、連結バイパス配管１６は湯水混合弁１１へ直接接続し、湯水混合弁１７内で温水経路側と水道水経路側のそれぞれに連結バイパス配管１６からの減圧する前の水道水を供給するように構成してあるので、連結バイパス配管１６の分岐が不要となり、接続箇所が１箇所となるので構成が簡単になり、水漏れ等の心配が減少するとともに、コスト的にも安価に構成出来るようになる。
【産業上の利用可能性】
【００４１】
以上のように、本発明にかかる貯湯式温水器は、端末からの出湯圧を高くし出湯量を増量して使用感を向上させることができることが可能となるので、台所や風呂への給湯等の用途にも適用できる。
【図面の簡単な説明】
【００４２】
【図１】本発明の実施例１における貯湯式温水器の概略構成を示す図
【図２】同貯湯式温水器の制御ブロック図
【図３】第２の実施の形態における貯湯式温水器の概略構成を示す図
【図４】従来の実施例における貯湯式温水器の概略構成を示す図
【符号の説明】
【００４３】
１  給水配管
２  貯湯タンク
３  減圧弁
１１  湯水混合弁
１２  バイパス配管
１３  冷水閉止電磁弁
１４  温水閉止電磁弁
１６  連結バイパス配管
【図１】
2006266598.tif 000003
【図２】
2006266598.tif 000004
【図３】
2006266598.tif 000005
【図４】
2006266598.tif 000006